(57)【要約】【目的】とぎれやすいインキを使用した、主として、誤記修正用のボールペンを搭載したノック式筆記具を安価に提供可能とする。【構成】インキとインキの後端にインキと追随するフォロアが充填されてなるボールペンリフィールを搭載して先軸先端からチップ先端部を出没可能とするノック式筆記具に於いて、軸筒に対し進退位置に係止可能となるノック筒の内孔部前方に前記ボールペンリフィールが着脱自在に密嵌され、またノック筒の内孔部後方にポンピング式の加圧機構が設けられて、先軸先端からチップ先端部を突出させた状態で、ノック筒後端に設けられたノック部を押圧することによってポンピング式の加圧機構を作動させて、加圧機構部の前端に密嵌されたインキ収容部の後端孔に空気が押し込まれ、その際に所定圧で弁が開いてフォロアの後端が加圧されることによってインキのチップ側への流動性が支援可能となる。【選択図】                図１
2004181799.tif 000002
【特許請求の範囲】
【請求項１】
先端にボールペンのチップと後方にインキ収容部を備え、インキ収容部にインキとインキの後端にインキと追随するフォロアが充填されてなるボールペンリフィールと、
そのボールペンリフィールを搭載して先軸先端からチップ先端部を出没可能とするノック式筆記具に於いて、
ノック作動によって軸筒に対し進退位置に係止可能となるノック筒の内孔部前方に前記ボールペンリフィールが着脱自在に密嵌され、またノック筒の内孔部後方にポンピング式の加圧機構が設けられて、先軸先端からチップ先端部を突出させた状態で、ノック筒後端に設けられたノック部を押圧することによってポンピング式の加圧機構を作動させて、加圧機構部の前端に密嵌されたインキ収容部の後端孔に空気が押し込まれ、その際に所定圧で弁が開いてフォロアの後端が加圧されることによってインキのチップ側への流動性が支援されるように構成されたことを特徴とするノック式筆記具。
【請求項２】
ノック筒の前端内孔部に雌螺子部が設けられ、ボールペンリフィールの前方外周に雄螺子部が設けられて、相互が螺合可能となる請求項１に記載のノック式筆記具。
【請求項３】
先端ボールがチップ先端のボール抱持部の内縁に密接するように先端ボールの背面にバネ圧が付与されてなる請求項１に記載のノック式筆記具。
【請求項４】
インキ収容部には、酸化チタン、高分子中空微粒子等の白色顔料とゲル化剤を含み、顔料の沈降が防止されると共に流動性が極力損なわれないように配合された白色顔料インキが充填されてなる請求項１に記載のノック式筆記具。
【請求項５】
ポンピング式の加圧機構は、常時フォロア後端部側への通気を遮断する弁機構部と、その弁機構部の後方に、前進させた時にフォロアとノック棒の前端との間に形成される空間部を圧縮するノック機構部とが設けられて構成され、ノック棒を前進して空間部が適宜圧縮された時に、前記弁機構部の遮断状態が解除されるように弁部に当接する凸部がノック棒の前端に設けられてなる請求項１に記載のノック式筆記具。
【発明の詳細な説明】
【０００１】
【産業上の利用分野】
本発明は、初期筆記でインキ切れしやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とする加圧式のノック式筆記具に関する。
【０００２】
【従来の技術】
【特許文献１】特開平８−５２４０７
【特許文献２】実開昭６２−１５４８８２
【特許文献３】特表平７−５０６８６２
【特許文献４】実開昭６３−９８７７６
【特許文献５】特開２００１−１７１２８６
従来、誤記等を修正するために白色顔料を用いた液体塗布具が知られている。
また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）
また、剪断減粘性を有するインキを使用して、攪拌しないですむものも知られているが、上向きで塗布したときにインキが逆流してインキ切れしやすい問題が存在する。（特許文献３）
また、後端に加圧機構を設けて、ポンピング作用によってインキの流出を支援すると共に、インキの逆流が防止可能となるものが知られているが、インキの性質や機構のバラツキなどによって適正な加圧が発揮できずに異常にインキが吐出してしまったり、少なすぎたりする問題がある。（特許文献４）
また、ノック式筆記具に搭載されたものも知られているが、ボールペンリフィールの構造が複雑で安価に提供できない問題が存在する。（特許文献５）
【０００３】
一般に粘性の低いインキ又は剪断減粘性を有したインキを使用したボールペンは、インキの流出量が多く（筆記濃度を上げるため）インキ収容管の径を太くしてインキの搭載量を多くしている。又、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、又、必要によりフォロア棒がフォロア内に浸漬されて設けられている。しかしながら、フォロアを設けても上向き筆記をした時にはチップのボール背面のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる（直流）問題が存在する。
特に、誤記等を修正するために白色顔料を用いた液体塗布具の場合には、インキの流量を多くすることや、乾燥による目詰まり排除などの理由で、筆圧によって先端ボールが後退する寸法が大きくとってあり、先端ボールの周面とチップのボール抱持部の内面との間の隙間が大きい。
【０００４】
【発明が解決しようとする課題】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなどを加圧作用で支援して筆記可能とする。主として、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、ボールペンリフィールの構造を単純化すると共に、筆記に際して容器の側面を押圧するようなこともない使い勝手の良い加圧式のノック式筆記具を安価に提供可能とする。
【０００５】
【課題を解決するための手段】
本発明は、上記課題を達成する為に以下の構成を有する。
請求項１に記載の発明に係るノック式筆記具は、先端にボールペンのチップと後方にインキ収容部を備え、インキ収容部にインキとインキの後端にインキと追随するフォロアが充填されてなるボールペンリフィールと、そのボールペンリフィールを搭載して先軸先端からチップ先端部を出没可能とするノック式筆記具に於いて、ノック作動によって軸筒に対し進退位置に係止可能となるノック筒の内孔部前方に前記ボールペンリフィールが着脱自在に密嵌され、またノック筒の内孔部後方にポンピング式の加圧機構が設けられて、先軸先端からチップ先端部を突出させた状態で、ノック筒後端に設けられたノック部を押圧することによってポンピング式の加圧機構を作動させて、加圧機構部の前端に密嵌されたインキ収容部の後端孔に空気が押し込まれ、その際に所定圧で弁が開いてフォロアの後端が加圧されることによってインキのチップ側への流動性が支援されるように構成されてなる。
【０００６】
請求項２に記載の発明に係るノック式筆記具は、請求項１に記載のノック式筆記具に於いて、ノック筒の前端内孔部に雌螺子部が設けられ、ボールペンリフィールの前方外周に雄螺子部が設けられて、相互が螺合可能となる。
【０００７】
請求項３に記載の発明に係るノック式筆記具は、請求項１に記載のノック式筆記具に於いて、先端ボールがチップ先端のボール抱持部の内縁に密接するように先端ボールの背面にバネ圧が付与されてなる。
【０００８】
請求項４に記載の発明に係るノック式筆記具は、請求項１に記載のノック式筆記具に於いて、インキ収容部には、酸化チタン、高分子中空微粒子等の白色顔料とゲル化剤を含み、顔料の沈降が防止されると共に流動性が極力損なわれないように配合された白色顔料インキが充填されてなる。
【０００９】
請求項５に記載の発明に係るノック式筆記具は、請求項１に記載のノック式筆記具に於いて、ポンピング式の加圧機構は、常時フォロア後端部側への通気を遮断する弁機構部と、その弁機構部の後方に、前進させた時にフォロアとノック棒の前端との間に形成される空間部を圧縮するノック機構部とが設けられて構成され、ノック棒を前進して空間部が適宜圧縮された時に、前記弁機構部の遮断状態が解除されるように弁部に当接する凸部がノック棒の前端に設けられてなる。
【００１０】
【実施例】
図１乃至図４は、一実施例であるボールペンリフィール５を搭載したノック式筆記具を示している。このノック式筆記具は、前端及び後端を開口して側面の円周上の一部に後端縁から所要距離前方位置まで連通した軸方向の長い窓孔１ｄを穿設した軸筒１と、軸筒１の窓孔１ｄに対向する位置に上方向及び横方向に弾性変位可能な玉部１ｂを有して当該玉部１ｂには係止段部１ｃを設け、また後端部には軸筒１と接合した基部１ｅを有するクリップ１ａを樹脂により一体成形し、また前端を開口したコの字状の基部１ｅの上端にはスリットに囲まれた箇所を弾性片１ｆとなし、当該弾性片１ｆの下端には適宜傾斜面１ｇが形成されている。また、軸筒１の前端には先軸２が螺合などの手段により着脱可能で固定されている。
【００１１】
また一方、詳細は後述するが、ボールペンリフィールの継ぎ手部６の前軸部６ａにリターンスプリング４を嵌装した状態で軸筒１の後端開口部から軸筒１の内部に挿入して、リターンスプリング４の前端は先軸２の内段部２ｃに当接させ、後端は継ぎ手部６の段部６ｅに当接させている。
【００１２】
またノック筒３は、前端開口、後端閉塞上の筒体で、外周部の同軸線上に前方から係止突起３ａ、リブ３ｂ、セーフティ片３ｃが一体に形成されている。
ノック筒３内孔の後方には、ポンピング式の加圧機構が設けられている。
ポンピング式の加圧機構は、後述するように弁機構部とノック機構部とで構成されてなる。
【００１３】
先ずノック筒３内孔の周面に対しブッシュ１３の外周が液密状となされた上で固着されている。実施例では、ブッシュ１３の後端がノック筒３の段部３ｇに当接して位置決めされ、且つ、係止部１３ｆで固着されている。
ブッシュ１３の内孔略後端には、テーパー状または球面状の受け座１３ｄとその軸心に貫通して通気口１３ｅが設けられ、また受け座１３ｄの前方には、スリ割り部１３ａを設けて外側に変位可能となる弾性片１３ｂが形成され、その弾性片１３ｂの軸心側に張出して段部１３ｃが設けられて、弁体１４が段部１３ｃを弾性変位させて挿入され、更に、弁体１４と段部１３ｃとの間にスプリング１５が敷設されて、受け座１３ｄに弁体１４が常時密接するように設けられて弁機構部が構成されている。
【００１４】
ノック筒３の後端部側面には、後端側から先方に向かって細くなるテーパー状のスリット部３ｅが形成され、その前端に段部３ｆを有して軸方向前方所定長さのスリット部３ｄが形成されている。
ノック棒１６は、後端に鍔部とその前方に軸部が形成され、鍔部の前端に段部１６ｂが設けられ、軸部外周の略中間に突部１６ａと軸部外周の略前端に周状の溝部１６ｃが設けられて、その溝部１６ｃに一例としてゴム等の弾性体や弾性のある成形樹脂などより成るシールリング１７が止着されている。尚、シールリング１７は、気密性、滑り性のよいものが選択される。また、他潤滑剤を介在させるなど配慮される。又、シールリング部は軸部外周に一体に形成することも可能である。
【００１５】
またノック棒１６は、ノック筒３の後端から挿入され、その前端とブッシュ１３の後端との間にノックスプリング１８が敷設されると共に、突部１６ａが上記テーパー状のスリット部３ｅを弾性的に拡開して、突部１６ａが段部３ｆの前面に係止され、ノックスプリング１８によってノック筒３に対しノック棒１６は常時後方に附勢される。
以上により、弁機構部の後方にノック機構部が配設される。
【００１６】
ノック棒１６の軸部前方がノック筒３の後端孔に嵌入すると、シールリング１７の外周部が後端孔の内周部に摺接する。そのとき、シールリング１７は、スリット部３ｄの略前端にかかる直前の状態に位置しており、従って、弁体１４の背面とノック棒１６の前端との間に形成される空間部は外気と連通している。即ち、ノック棒１６の前進作動の直前において、空間部は外気と連通され、ノック棒１６が適宜前進した直後においてシールリング１７の外周部がノック筒３の内周部に密接することで外気と遮断され、空間部の縮小と共に加圧されるよう構成されている。又、ノック棒１６を前進して空間部を適宜圧縮した状態で、弁体１４の受け座１３ｄとの密接状態が解除されるようにノック棒１６の前端に設けられた凸部１６ｄが弁体１４の後端に当接する。
【００１７】
ノック筒３は、係止突起３ａ、リブ３ｂ、セーフティ片３ｃが軸筒１の窓孔１ｄに嵌装し、セーフティ片３ｃの後端が上記クリップ１ａの基部１ｅに設けた弾性片１ｆの前端の段部１ｈに当接して抜け止め係止される。
また、ノック筒３の前端内孔部には雌螺子部３ｉが形成されている。
【００１８】
図３は上述したボールペンリフィール５を示している。
ボールペンリフィール５のインキ収容部１０内には、低粘度のインキや剪断減粘性を有したインキ、主として白色顔料インキ１１が充填され、そのインキの後端にインキの消耗と共にインキと追随するグリース状のフォロア１２が充填されている。また、フォロア１２はインキと相溶性が無くまたインキの蒸発を防止する性能を有している。また必要に応じてフォロア１２内にフォロアと略同等の比重を有する樹脂製のフォロア棒が浸漬される。尚、フォロアは例えばシリコンゴム等の追従体とすることも可能である。
【００１９】
白色顔料インキ１１は、酸化チタン、高分子中空微粒子等の白色顔料とゲル化剤を含み、顔料の沈降が防止されると共に流動性が極力損なわれないように配合された白色顔料インキである。また、インキは剪断減粘性を有しているので先端ボールの回転で粘度が低下するのと相まって隠蔽性の高い塗布が可能である。
【００２０】
継ぎ手部６の鍔部６ｂの前方に前軸部６ａが、鍔部６ｂの後方にインキ収容部１０が一体に形成され、更にインキ収容部の前端外周部には雄螺子部６ｃが形成されて、前軸部６ａ先端のチップ嵌着孔６ｈに先端ボール８を抱持したチップ７の軸部７ａが固着されている。
また、チップ７はインキ流入可能なチャンネルを有した座に先端ボール８が略当接した状態で、先端ボール８が回転自在に抱持されるようカシメられている。また、チップ７の内孔部にスプリング９が内挿され、チップの軸部７ａの後端が適宜カシメられてスプリング９の後端が抜出不能となされている。
尚、継ぎ手部とインキ収容部は別部材で構成することもできる。
また、継ぎ手部及びインキ収容部は一例として透明のＰＰ樹脂やナイロン樹脂成形品等が使用される。
【００２１】
また、スプリング９の先方には直線状の棒軸部９ａが形成され、当該棒軸部９ａの先端が先端ボール８の背面に押圧状態に当接している。
また、先端ボール８はその押圧でチップ７のボール抱持部（カシメ等で形成）の内縁に密接状態と成されている。尚、スプリングの前面に先端ボール８の背面を押圧する押し部材を設けることも、また、上記棒軸部を極細巻きのコイル状となすことも可能である。また更に、チップを耐磨耗性やインキのシール性能に優れた樹脂成型品となして、先端ボールの背面を押圧するバネ座を一体または別体のバネ座を設けて構成することも可能である。
【００２２】
また、先端ボール８がボール抱持部の内面に密接することはインキが高粘度であっても筆記先端の乾燥、インキの直流防止に対し極めて重要である。
即ち、本願のような主に誤記修正塗布用のボールペンは、インキの吐出量を多くする為に、筆記用のボールペンに比較して先端ボールの後退する寸法が大きく設定されている。また、必要に応じて先端ボール８を抱持するチップ内面の表面粗さ、カシメによる密接精度を改善する為に内面の研削仕上げ、カシメ精度を上げる為の二次的な塑性加工などが配慮される。また、必要によっては先端ボールとの密接面に表面処理などが配慮される。
【００２３】
またインキの逆流防止を完璧と成すために、上記チップ嵌着孔６ｄの後方に弁室を設け、弁室の後部にテーパー状または球面状の弁体受け座と後方に連通する導孔を形成して、その弁室内に球状の弁体が遊嵌されると共に、チップ７を上向きにした状態で導孔を閉塞してインキの逆流を防止し、下向きにした状態では弁体がチップの後端孔を閉塞しない状態に規制してインキがチップ内孔部に流入するように構成することができる。尚、弁体は弁体受け座に密接する側をテーパー状または球面状に成した軸状体とすることも可能である。
【００２４】
ボールペンリフィール５は、インキ収容部１０がノック筒３の内孔部に挿入され、雄螺子部６ｃがノック筒３の雌螺子部３ｉに螺合されてインキ収容部の後端が密嵌される。尚、密嵌状態を確実化するために螺子部とは別にインキ収容部の外周とノック筒の内周（内孔部）との間にシール部を設けることもできる。また、インキ収容部の後端をブッシュの前端に密接させてシールさせることも可能である。（ノック筒の内孔部にインキ収容部を密嵌させるのと同値の手段）
【００２５】
以上により、ノック棒１６の後端を押圧してノック筒３を前進させると、係止突起３ａがクリップ１ａの玉部１ｂを押し上げてその前方に移動して、係止段部１ｃと係合する状態に位置したときに、ボールペンリフィール５のチップ７が先軸２の先端孔２ａから突出する。（図２参照）
また、クリップ１ａの先端部を僅かに上方へ又は横方向へ弾性変位させて係止段部１ｃと係止突起３ａの係合を解除したときに、リターンスプリング４によってボールペンリフィール５をセーフティ片３ｃが弾性片１ｆの段部１ｈに衝合するまで後退せしめた状態でチップ７が先軸２内部に没入するように各部の寸法を適宜に設定して構成している。尚、ボールペンリフィール５の交換は軸筒１から先軸２を外して行う。
【００２６】
【作用】
先ず、図１はノック式筆記具の携帯時を示すものである。この状態から、ノック棒１６の後端を押圧してノック筒３を前進させると、係止突起３ａがクリップ１ａの玉部１ｂを押し上げてその前方に移動して係止段部１ｃと係合したときにボールペンリフィール５のチップ７が先軸２の先端孔２ａから突出する。（図２参照）この状態では、弁体１４の背面とノック棒１６の前端との間の空間部はスリット部３ｄを通じて外気と連通しており、リターンスプリング４に対してノックスプリング１８の設定力は十分強くなるようにバランスがとられている。
また、再びノック式筆記具を携帯する時には、クリップ１ａの先端部を僅かに上方へ又は横方向へ弾性変位させて係止段部１ｃと係止突起３ａの係合を解除すると、リターンスプリング４によってボールペンリフィール５が後退し、チップ７が先軸２内部に没入する。
【００２７】
次に、ポンピング式の加圧機構の作用を以下に説明する。
図２に示す状態からノック棒１６の後端を押圧して前進させると、継ぎ手６の前端６ｆが先軸２に設けた段部２ｂに当接して、ボールペンリフィール５及びノック筒３の前進が阻止されると共に、ノック棒１６のみが前進を開始する。
シールリング１７の外周部がインキ収容管１０の内周部全周に密接した時点で弁体１４の背面とノック棒１６の前端との間の空間部が外気と遮断されると共に、ノック棒１６が更に前進することによってシールリング１７の外周部がノック筒３の内周面に密接して摺動し、空間部の縮小と共に内圧が上昇する。
また、ノック棒１６を前進して空間部を適宜圧縮した状態で、弁体１４の受け座１３ｄとの密接状態が解除されるようにノック棒１６の前端に設けられた凸部１６ｄが弁体１４の後端に当接し、加圧された空気が弁体の前方に押し込まれることによって、フォロア１２の後端が加圧されてインキのチップ側への流動性が支援される。
【００２８】
そのことは、落下衝撃やインキの流動性の悪さ等に起因して先端ボールの周面からインキが離れてしまい連続的なインキの流出がとぎれるのを防止する作用ととぎれた時に回復する作用となる。
また、インキの特性などによって適正な加圧力が設定される。その場合、シールリング１７の外周部がノック筒３の内周部全周に密接する時の最初の空間部の容積とノック棒１６の前端に設けられた凸部１６ｄが弁体１４の後端に当接した時の空間部の容積を幾らにするか、シール部のリーク値などを勘案して設定することが可能となる。
また、凸部１６ｄで弁体１４の後端に当接することによって、凸部１６ｄを押圧するスプリング１５の強さが所定の強さより強い方にばらついても加圧力が設定維持可能となる。
【００２９】
次に、ボールペン５の機能について説明する。
先ず、筆記しない状態ではスプリング９の押圧で先端ボール８がチップ抱持部の内縁に密接されるのでインキ１１の直流及び逆流が防止される。また、筆圧により先端ボール８が微小に後退するので隙間を生じてインキが流出可能となり、筆記により先端ボール８の回転でインキが流出されて筆記される。
スプリング９の押圧が無い場合でも、インキの粘度があまり低く過ぎたり、あるいはインキの充填量が多過ぎたり、インキ収容管が太過ぎたりしない場合には、フォロアの後端が加圧されるのでインキが直流や逆流が防止できる。
しかしながら、チップ７を上向きにして筆記したり、ノック式筆記具に搭載した場合のノック衝撃の繰り返しなどを考慮するとインキの直流及び逆流防止のためにスプリング９で押圧することが望ましい。
【００３０】
また、フォロア棒はインキ収容管が大径である場合に使用される。即ち、グリース状のフォロアは、インキ収容部が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００３１】
また、インキの直流及び逆流はスプリングによる先端ボールへの押圧で果たされるが、先端ボールをボール抱持部の内縁にスプリングの押圧によって密接させると共に、その後方に弁体を遊嵌した弁室を設けてチップ上向きで弁体が導孔を閉塞するように併設して設けることで、ボール抱持部の加工バラツキによる先端ボールとの密接不完全状態や、ボール抱持部と先端ボールとの隙間に固形物が付着した場合の密接不完全状態が生じてもインキの逆流が確実に防止できる。
【００３２】
上述したフォロア棒や弁体を有したインキの逆流防止構造は、インキ収容部が大径で逆流しやすい場合や、上向き筆記を繰り返した時や衝撃が掛かった時に性能を発揮するものであって構成要素として必須のものではなく、特に誤記修正用のボールペンは上向きに使用されることはまず無いので必ずしも必要としない。
【００３３】
【発明の効果】
本発明のノック式筆記具の構成及び作用は以上の如くであり、初期筆記でインキ切れしやすいインキを使用したボールペンが加圧作用に支援されて筆記可能となる。また、少なくとも酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧するようなこともなく、更に煩わしいキャップの着脱もない使い勝手の良い誤記修正用のノック式筆記具が提供可能となる。また、ポンピング式の加圧機構がノック式筆記具本体に組み込まれた構造なので、ボールペンリフィールが通常のものと同じになり、加圧式のノック式筆記具が安価に提供可能となる。
【００３４】
また、ノック棒１６の前端に設けられた凸部１６ｄが弁体１４の後端に当接させることによってインキの特性などによって適正な加圧力が設定可能となる。
また、凸部１６ｄを押圧するスプリング１５の強さが所定の強さより強い方にばらついても加圧力が設定維持可能となる。
【００３５】
また、先端ボール径が異なる場合（筆記描線が変化すると共に、インキの流出量が増減する。）、チップ寿命とインキの充填量のバランスをとるためにインキ収容部の内径が変化しても、またインキ収容部の長さが変化してもボールペンリフィールをノック式筆記具に問題なく搭載できる。（互換性）
【図面の簡単な説明】
【図１】本発明の一実施例であるノック式筆記具の一部非断面の縦断面図で、筆記先端が没入した状態を示している。
【図２】ノックして、筆記先端を突出した状態に於ける一部非断面の縦断面図である。
【図３】ボールペンリフィールの全体を示す縦断面図である。
【図４】ポンピング式の加圧機構を拡大して示した断面図である。
【符号の説明】
１          軸筒
１ａ      クリップ
１ｂ      玉部
１ｃ      係止段部
１ｄ      窓孔
１ｅ      基部
１ｆ      弾性片
１ｇ      傾斜面
１ｈ      段部
２          先軸
２ａ      先端孔
２ｂ      段部
２ｃ      内段部
３          ノック筒
３ａ      係止突起
３ｂ      リブ
３ｃ      セーフティ片
３ｄ      スリット部
３ｅ      テーパー状のスリット部
３ｆ      段部
３ｇ      段部
３ｈ      段部
３ｉ      雌螺子部
４          リターンスプリング
５        ボールペンリフィール
６          継ぎ手部
６ａ        前軸部
６ｂ      鍔部
６ｃ        雄螺子部
６ｄ      チップ嵌着孔
６ｅ      段部
６ｆ      前端
６ｈ      チップ嵌着孔
７        チップ
８        先端ボール
９        スプリング
９ａ      棒軸部
１０      インキ収容部
１１      インキ
１１ａ    空間部
１２      フォロア
１３      ブッシュ
１３ａ    スリ割り部
１３ｂ    弾性片
１３ｃ    段部
１３ｄ    受け座
１３ｅ    通気口
１３ｆ    係止部
１３ｇ    嵌着軸部
１３ｈ    シール部
１４      弁体
１５      スプリング
１６      ノック棒
１６ａ    突部
１６ｂ    段部
１６ｃ    溝部
１６ｄ    凸部
１７      シールリング
１８      ノックスプリング
【図１】
2004181799.tif 000003
【図２】
2004181799.tif 000004
【図３】
2004181799.tif 000005
【図４】
2004181799.tif 000006